(57)【要約】      （修正有）【課題】関係者のみが容易に蓋を開いてフィルターのクリーニングや修理ができる空気清浄装置および蓋開放機構を提供する。【解決手段】空気清浄装置１は、上端側に吸気口２を有し下端側に排気口３を有する装置本体４と、装置本体４の側面パネル５に設けられたフィルター着脱用の開口部６と、開口部６を開閉する蓋７と、を備えている。吸気口２と排気口３の間には、プレフィルター８と、ＨＥＰＡフィルター９と、光触媒フィルター１０と、が上下方向に配置されている。蓋７には蓋ロック解除用の孔１１が形成されている。孔１１からピン状の蓋開放部材１００を挿入し、その先端１００ａで装置本体４内に設けた回動レバー１２の一端側１２ａを押圧し、該回動レバー１２を一方向に回動させて，他端部１２ｂで蓋７の内面を押圧して蓋７を開放する。【選択図】図１
0003147371.tif 000002
【実用新案登録請求の範囲】
【請求項１】
フィルターを収納した装置本体の側面に設けたフィルター着脱用の開口部を開閉する蓋に蓋開放部材挿入用の孔を設け、該孔からピン状の蓋開放部材を挿入し、該蓋開放部材の先端で上記装置本体内に設けた回動レバーの一端部の被押圧面を押圧し、該回動レバーを軸を中心に回動させて、該回動レバーの他端部で上記蓋の内面を押圧して、上記蓋を開放することを特徴とする空気清浄装置。
【請求項２】
上記蓋開放部材挿入用の孔は、ピン状の蓋開放部材を挿入するのに必要最小限の径に形成されていることを特徴とする請求項１に記載の空気清浄装置。
【請求項３】
上記回動レバーの両側部に略等間隔を持って上記蓋を全閉状態に吸着保持するマグネットを配置したことを特徴とする請求項１または請求項２に記載の空気清浄装置。
【請求項４】
上記蓋開放部材による押圧を解除したときに上記回動レバーを元の位置に復帰する復帰バネを備えていることを特徴とする請求項１〜３のいずれかに記載の空気清浄装置。
【請求項５】
装置本体に設けた開口部を開閉する蓋に蓋開放部材挿入用の孔を設け、該孔からピン状の蓋開放部材を挿入し、該蓋開放部材の先端で上記装置本体内に設けた回動レバーの一端部の被押圧面を押圧し、該回動レバーを軸を中心に回動させて、該回動レバーの他端部で上記蓋の内面を押圧して、上記蓋を開放することを特徴とする蓋開放機構。
【考案の詳細な説明】
【技術分野】
【０００１】
本考案は、装置本体の側面（前面を含む）にフィルター着脱用の開口部と蓋を設け、該蓋を開閉することにより、上記フィルターの着脱を行うようにした空気清浄装置および空気清浄装置に限らず広く電気機器や電子機器に適用される蓋解放機構に関するものである。
【背景技術】
【０００２】
図８，図９に示すように、フィルター１０１を収容した装置本体（筐体）１０２の前面１０３にフィルター着脱用の開口部１０４と、該開口部１０４を開閉する蓋１０５を設けた空気清浄装置が知られている。
【０００３】
図８に示す第1の従来例の空気清浄装置において、上記蓋１０５は、４本のネジ１０６によって装置本体１０２の前面１０３に着脱可能に取り付けられている。
【０００４】
また、図９に示す第２従来例の空気清浄装置において、上記蓋１０５は、下端側をヒンジ１０７によって装置本体１０２の前面１０３に回動可能に取り付けられていて、上端側に設けた取っ手１０８を使用して蓋１０５を開閉するようになっている。（空気清浄装置としては、例えば、特開平２００３−６５５７３がある）。
【考案の開示】
【考案が解決しようとする課題】
【０００５】
ところで、上記従来の空気清浄装置には次に述べるような問題点があった。
【０００６】
（１）第1の空気清浄装置は、蓋１０５を取り付けている４本のネジ１０６が装置本体１０２の前面１０３に露出し、また、第２の空気清浄装置は、蓋１０５を取り付けているヒンジ１０７や取っ手１０８が装置本体１０２の前面１０３に露出しているために空気清浄装置の外観を損なっていた。
【０００７】
（２）また、上述したように、ネジ１０６や取っ手１０８が露出しているため空気清浄装置の外観を損なうばかりでなく、悪戯によってネジ１０６が取り外されたり、或いは取っ手１０８が牽引されたりして、蓋１０５が開かれてフィルター１０１等が取り出されてしまう虞がある。
【０００８】
本考案の目的は、蓋の存在を視認し難くし、空気清浄装置のメンテナンスや修理を行なう人等の関係者以外の第三者が悪戯等で容易に蓋を開くことはできないが、関係者は、容易に蓋を開いてフィルターのクリーニングや修理等を行なうことの可能な空気清浄装置を提供することにある。また、本考案の他の目的は、空気清浄装置に限らず広く電気機器や電子機器に適用されていて開口部を塞いでいる蓋の存在を視認し難くし、且つネジを使用する場合等に較べて容易に蓋を開くことのできる蓋解放機構を提供することにある。
【課題を解決するための手段】
【０００９】
請求項１の考案の空気清浄装置は、フィルターを収納した装置本体の側面に設けたフィルター着脱用の開口部を開閉する蓋に蓋開放部材挿入用の孔を設け、該孔からピン状の蓋開放部材を挿入し、該蓋開放部材の先端で上記装置本体内に設けた回動レバーの一端部側の被押圧面を押圧し、該回動レバーを一方向に回動させて、上記回動レバーの他端部側で上記蓋の内面を押圧して、上記蓋を開放することを特徴とする。
【００１０】
請求項２の考案は、請求項１に記載の空気清浄装置において、上記蓋開放部材挿入用の孔を、上記ピン状の蓋開放部材を挿入するのに必要最小限の径に形成したことを特徴とする。
【００１１】
請求項３の考案は、請求項１または請求項２に記載の空気清浄装置において、上記回動レバーの両側部に略等間隔を持って上記蓋を全閉状態に吸着保持するマグネットを配置したことを特徴とする。
【００１２】
請求項４の考案は、請求項１〜請求項３のいずれかに記載の空気清浄装置において、上記蓋開放部材による押圧を解除したときに上記回動レバーを元の位置に復帰させる復帰バネを設けたことを特徴とする。
【００１３】
請求項５の考案は、電気機器や電子機器において、機器本体に設けられている開口部を塞いでいる蓋を開くための蓋開放機構であって、開閉する蓋に蓋開放部材挿入用の孔を設け、該孔からピン状の蓋開放部材を挿入し、該蓋開放部材の先端で上記装置本体内に設けた回動レバーの一端部の被押圧面を押圧し、該回動レバーを軸を中心に回動させて、該回動レバーの他端部で上記蓋の内面を押圧して、上記蓋を開放することを特徴とする。
【考案の効果】
【００１４】
（１）請求項１の空気清浄装置および請求項５の蓋開放機構は、上記第1，第２従来例のようにネジや取っ手等を使用しないので蓋の存在を目立たなくし視認し難いものにする。そして、蓋に設けた蓋開放部材挿入用の孔にピン状の蓋開放部材を挿入し、該蓋開放部材の先端で上記装置本体内に設けた回動レバーの一端側を押圧するという簡単な操作で蓋を開くことを可能にする。
（２）請求項２の空気清浄装置は、上記蓋開放部材挿入用の孔を、上記ピン状の蓋開放部材を挿入するのに必要最小限の径に形成したので、上記蓋開放部材挿入用の孔の存在をより一層、目立たないものにすることができる。
（３）請求項３の空気清浄装置は、上記回動レバーの両側部に略等間隔を持って上記マグネットを配置したので、上記回動レバーで蓋の内面を押圧したとき力を略均等に分散させて上記マグネットの磁気吸着力から蓋の拘束を解除し、蓋を開くことができる。
（４）請求項４の空気清浄装置は、上記蓋開放部材による回動レバーの押圧を解除すると、回動レバーは復帰バネにより自動的に元の位置に復帰するので、蓋を閉じる際などに回動レバーの存在が邪魔になるようなこことはない。また、回動レバーが不必要に回動するのを防止する。
【考案を実施するための最良の形態】
【００１５】
図１は本考案の空気清浄装置１の斜視図である。空気清浄装置１は、上端側に吸気口２を有し下端側に排気口３を有する装置本体４と、該装置本体４の側面パネル（実施例では前面パネル）５に設けられたフィルター着脱用の開口部６と、該開口部６を開閉する蓋７と、を備えている。
【００１６】
上記装置本体４内の上記吸気口２と上記排気口３の間には、プレフィルター８と、ＨＥＰＡフィルター（Ｈigh Ｅfficiency Ｐarticulate Ａir Ｆilter)９と、光触媒フィルター１０と、が上下方向に配置されている。上記光触媒フィルター１０は、複数層に積層されていて、各層の光触媒フィルター１０に対応する位置にはそれぞれ光源（図示省略）が配置されている。
【００１７】
上記装置本体４内の底部には吸、排気ファン（図示省略）が配置されていて、該吸、排気ファンによって、外気を上記吸気口２から装置本体４内に吸入し、吸入した外気を上記プレフィルター８、ＨＥＰＡフィルター９、光触媒フィルター１０を通して浄化した後に上記排気口３から外部に排出する。上記プレフィルター８は、主に空気中に浮遊する比較的大きな塵埃等を捕捉する。上記ＨＥＰＡフィルター９は、主に空気中に浮遊する細菌等を除菌、滅菌する。また、光触媒フィルター１０は、除菌、滅菌のほかに空気中の臭い物質等を分解、捕捉する。
【００１８】
上記開口部６は、上記側面パネル５の上部の上記プレフィルター８に対応する位置に設けられていて、該開口部６を通して上記プレフィルター８を着脱する。
【００１９】
上記蓋7は、上端側の略中央部にピン状の蓋開放部材１００を挿入する蓋開放部材挿入孔１１を備えている。また、上記装置本体４の上記蓋開放部材挿入孔１１に対向する位置には梃子の原理を利用して上記蓋７の内面を押圧して上記蓋７を開く回動レバー１２が設けられ、その両側部には上記蓋７を閉じた状態に吸着維持するための一対のマグネット１３，１３が設けられている。
【００２０】
上記回動レバー１２は、軸１４により回動可能に上記装置本体４に取り付けられている。上記回動レバー１２は、上記蓋開放部材挿入孔１１に挿入した上記ピン状の蓋開放部材１００の先端部１００ａで一端部１２ａを押圧されると、上記軸１４を中心に回動して、他端部１２ｂで上記蓋７の内面を押圧する。上記マグネット１３，１３の吸着力よりも強い力で上記蓋７の内面を押圧することにより上記蓋７は開かれる。
【００２１】
図２に示すように、上記蓋７は、金属板によって長方形状に形成されていて、下端縁の両側部には回動軸を成す一対の突部７ａ，７ｂが形成されている。一方、上記装置本体４の開口部６の下縁には、一対の軸挿入部（突起挿入部）６ａ，６ｂが形成されていて、上記一対の突部７ａ，７ｂを上記一対の軸挿入部６ａ，６ｂに挿入することにより、上記蓋７は、上記装置本体４に回動可能に組みつけられる。
【００２２】
図３に示すように、上記蓋７は、所定の傾斜角度θ、例えば１３５°に傾斜させて、上記開口部６を半開きにした組付け位置と、図１に示すように、上記開口部６を全閉する垂直に起立させた位置の範囲で回動可能になっている。上記蓋７は、上記開口部６を全閉した位置において、マグネット１３によって吸着されて全閉状態に維持される。
【００２３】
図４に示すように、上記回動レバー１２は、金属板を略コ字状に形成されていて、対向する一対の片１２ｃ，１２ｃの長さ方向の略中央部から一方の端部１２ｂ側にやや偏移した位置に設けた軸受孔１２ｄ，１２ｄに挿入した軸１４によって上記装置本体４に回動可能に組みつけられている。
【００２４】
図５に示すように、上記蓋７に形成した蓋開放部材挿入孔１１からピン状の蓋開放部材１００を挿入し、その先端部１００ａで上記回動レバー１２の一端部１２ａ側に形成した被押圧面１２ｅを押圧すると、上記回動レバー１２は、軸１４を中心に反時計方向に回動して、他端部１２ｂのコーナー部１２ｆで上記蓋７の内面を押圧して蓋７を開く。
【００２５】
上記被押圧面１２ｅは、上記蓋開放部材１００の移動方向に対して直角をなす第1の面１２ｇと、該第1の面１２ｇに連続し上記蓋開放部材１００の移動方向に対して直角よりも小さな角度をなす第２の面１２ｈと、からなっている。
【００２６】
上記蓋開放部材挿入孔１１から挿入した蓋開放部材１００の先端は、先ず図５（Ｂ）に示すように、上記第1の面１２ｇを押圧した後に、図５（Ｃ）に示すように、上記第２の面１２ｈ側に移行する。上記第２の面１２ｈは、上述したように上記蓋開放部材１００の移動方向に対して第1の面１２ｇよりも小さな角度に形成されているので、上記回動レバー１２が回動すると、図５（Ｃ）に示すように、上記第２の面１２ｈは、上記蓋開放部材１００の移動方向に対して直角に近い角度になって、上記蓋開放部材１００の先端が滑るのを抑制する。なお、上記被押圧面１２ｅは、図６に示すように、上記第１，第２の面１２ｇ，１２ｈと同様の機能を有する円弧状面であってもよい。
【００２７】
次に、図７を参照して、蓋７を開いてプレフィルター８を取り出す場合について説明する。先ず、図７（Ａ）に示すように、蓋開放部材１００の先端を蓋７に形成した蓋開放部材挿入孔１１に挿入して、その先端で回動レバー１２の一端部側の被押圧面１２ｅを押圧する。上記被押圧面１２ｅを押圧された回動レバー１２は、軸１４を中心にして回動して、他端部側のコーナー部１２ｆで蓋７の内面を押圧し、図７（Ｂ）に示すように、蓋７を開く。
【００２８】
蓋７を開いたら、図７（Ｃ）に示すように、蓋７を取り外した後に、図７（Ｄ）に示すように、プレフィルター８を装置本体4内から取り出して、プレフィルター８の掃除等を行なう。掃除等の終了後は、プレフィルター８を装置本体4内に戻して、蓋7を閉じると、該蓋7は、マグネット１３によって吸着されて、フィルター着脱用の開口部６を閉じた状態に維持される。
【００２９】
プレフィルター８を側面パネル５に設けた開口部６から着脱可能にしたのは、プレフィルター８は、吸入口２に最も近い位置にあって汚れ易く、他のフィルター９，１０に較べて掃除を頻繁に行なう必要があるからである。前面パネル５は、装置本体４から取り外し可能になっていて、他のフィルター９，１０の掃除等を行なうときは、側面パネル５全体を取り外して行う。なお、上記実施例では専ら空気清浄装置について説明したが、本発明は空気清浄装置に限定されるものではなく、蓋開放機構そのものであってもよい。蓋開放機構を、装置本体に設けた開口部を開閉する蓋に蓋開放部材挿入用の孔を設け、該孔からピン状の蓋開放部材を挿入し、該蓋開放部材の先端で上記装置本体内に設けた回動レバーの一端部の被押圧面を押圧し、該回動レバーを軸を中心に回動させて、該回動レバーの他端部で上記蓋の内面を押圧して、上記蓋を開放する構成にすることにより、空気清浄装置に空気清浄装置に限らずの広く電気機器や電子機器に適用することができる。
【図面の簡単な説明】
【００３０】
【図１】空気清浄装置の斜視図。
【図２】蓋を取り外した状態の斜視図。
【図３】蓋を組みつけた状態の斜視図。
【図４】回動レバーの斜視図。
【図５】Ａ、Ｂ、Ｃは、回動レバーの作用を示す説明図。
【図６】回動レバーの他の実施例を示す斜視図。
【図７】Ａ、Ｂ、Ｃ、Ｄは、蓋を開いてプレフィルターを取り出すまでの作業工程図。
【図８】Ａ、Ｂ、Ｃは、従来例の説明図。
【図９】Ａ、Ｂは、他の従来例の説明図。
【符号の説明】
【００３１】
１…空気清浄装置
２…吸気口
３…排気口
４…装置本体（筐体）
５…側面パネル
６…フィルター着脱用の開口部
７…蓋
８…プレフィルター
９…ＨＥＰＡフィルター
１０…光触媒フィルター
１１…蓋開放部材挿入孔
１２…回動レバー
１３…マグネット
１４…軸
１５…マグネット
１００…蓋開放部材
【図１】
0003147371.tif 000003
【図２】
0003147371.tif 000004
【図３】
0003147371.tif 000005
【図４】
0003147371.tif 000006
【図５】
0003147371.tif 000007
【図６】
0003147371.tif 000008
【図７】
0003147371.tif 000009
【図８】
0003147371.tif 000010
【図９】
0003147371.tif 000011